(57)【特許請求の範囲】
【請求項１】
中空状の本体の内部に逆止弁構造の弁体を有しており、弁体の開放によって作動するリミットスイッチを備えた流水検知装置であり、
リミットスイッチから受信盤へ信号を送る電路に、電路の開閉を行うスイッチが設置されており、該スイッチにより電路が遮断された状態で信号を発する出力装置を設置したことを特徴とする流水検知装置。
【請求項２】
前記出力装置から出力される信号はブザーや音声である請求項１記載の流水検知装置。
【請求項３】
前記出力装置から出力される信号はランプの点灯・点滅表示である請求項１または請求項２記載の流水検知装置。
【請求項４】
前記出力装置から出力される信号は、スイッチにより電路が遮断されてから所定時間経過後に出力される請求項１〜請求項３記載の流水検知装置。
【請求項５】
中空状の本体の内部に逆止弁構造の弁体を有しており、弁体の開放によって作動するリミットスイッチを備えた流水検知装置であり、
リミットスイッチから受信盤へ信号を送る電路に、電路の開閉を行うスイッチが設置されており、該スイッチは本体の近傍に設置された蓋を備えた筺体の内部に設置され、蓋を閉めた状態においてスイッチ内の電路が接続された状態となることを特徴とする流水検知装置。
【請求項６】
中空状の本体の内部に逆止弁構造の弁体を有しており、弁体の開放によって作動するリミットスイッチを備えた流水検知装置であり、
リミットスイッチから受信盤へ信号を送る電路に、電路の開閉を行うスイッチが設置されており、スイッチにより電路が遮断されてから所定時間経過後にスイッチが元の状態に戻ることを特徴とする流水検知装置。
【請求項７】
前記流水検知装置は、リミットスイッチの作動から受信盤に信号を出力するまでの時間を遅延するタイマー機能を備える請求項１〜請求項６記載の流水検知装置。
【発明の詳細な説明】
【技術分野】
【０００１】
本発明は、スプリンクラー設備や消火設備の配管上に設置される流水検知装置に関するものである。
【背景技術】
【０００２】
流水検知装置はスプリンクラー設備や消火設備の配管上に設置されており、配管の末端に設置されたスプリンクラーヘッド等の作動による配管内の流水を検知して信号を出力する。配管内の流水により弁体が開くと流水検知装置に設置されたリミットスイッチがオンとなり、その信号を受信盤が受信すると建物内に火災を報知して避難誘導が行われる。
【０００３】
一方、施工完了時やメンテナンス終了後において、配管内に水を充填する際には、受信盤へリミットスイッチの信号が出力されないように、特許文献１に記載されているような信号停止手段が設けられている。特許文献１には機械的手段によりリミットスイッチの作動を阻止する構成が記載されている。機械的手段を用いることで作業者が目視によって信号停止状態であることを認識しやすい。これに対してリミットスイッチと受信盤との間に電路の開閉を行うスイッチを設けてリミットスイッチの信号停止を電気的手段にて構成することもできる。
【先行技術文献】
【特許文献】
【０００４】
【特許文献１】特開２０１２−１５２１８２号公報
【発明の概要】
【発明が解決しようとする課題】
【０００５】
電気的手段により信号停止を行った場合、スイッチを戻し忘れた状態で放置されると火災時に流水検知装置内のリミットスイッチが作動しても受信盤に信号が送られずに火災の報知や避難が遅れてしまうおそれがある。
【０００６】
そこで本発明では、上記問題に鑑み、弁体の開放動作を検出するリミットスイッチからの信号出力停止を電気的スイッチの操作により行う場合に、電路が遮断された状態で放置されることを防止する流水検知装置を提供することを目的としている。
【課題を解決するための手段】
【０００７】
上記の目的を達成するために、本発明は以下の流水検知装置を提供する。
すなわち、中空状の本体の内部に逆止弁構造の弁体を有しており、弁体の開放により作動するリミットスイッチを備えた流水検知装置であり、リミットスイッチから受信盤へ信号を送る電路に、電路の開閉を行うスイッチが設置されており、該スイッチにより電路が遮断された状態で信号を発する出力装置を設置したことを特徴とするものである。
【０００８】
これによれば、スイッチにより電路が遮断された状態において出力装置からの信号により作業者に注意を促すことができ、スイッチの戻し忘れを防止できる。信号の具体的事例としては、ブザーや音声、ランプの点灯・点滅等があげられる。またこれらの信号をスイッチにより電路が遮断されてから所定時間経過後に出力させてもよい。
【０００９】
また、別の手段として、スイッチを流水検知装置の本体近傍に設置された筺体の内部に設置して、筺体の蓋を外した状態においてはスイッチの操作が可能となり、蓋を閉めるとスイッチが元の状態（電路が接続された状態）に戻る構成としても実現可能である。あるいは、スイッチにより電路が遮断されてから所定時間経過後にスイッチが元の状態に戻るタイマー機能を有するスイッチにより構成することも可能である。
【発明の効果】
【００１０】
上記の発明によれば、リミットスイッチから受信盤へ信号を送る電路の開閉を行うスイッチが遮断されているときに信号を出力することで作業者に注意を促し、スイッチの戻し忘れを防止することができる。また、別の手段として筺体の蓋を閉じるとスイッチが元の状態に戻ることや、所定時間経過後にスイッチが自動的に元に戻る構成としたことで、スイッチ操作により電路が遮断された状態で放置されることを防止できる。
【図面の簡単な説明】
【００１１】
【図１】第１実施形態の流水検知装置の断面図。
【図２】図１のＸ−Ｘ断面図。
【図３】図１の流水検知装置の筺体内部構造を示す図であり、（ａ）は閉弁時の状態、（ｂ）は開弁時の状態を表す。
【図４】出力装置として筺体にランプを設置したものであり、（ａ）は蓋を外した状態、（ｂ）は蓋を閉じた状態を表す。
【図５】第２実施形態の筺体内部構造を示す図。
【図６】図５の側面図であり、（ａ）は蓋を外した状態、（ｂ）は蓋を閉じた状態を表す。
【図７】第３実施形態の筺体内部構造を示す図。
【図８】変形例の筺体内部構造を示す図。
【発明を実施するための最良の形態】
【００１２】
第１実施形態（図１〜図４）
第１実施形態の流水検知装置Ａ１は、本体１、弁体２、リミットスイッチ３、スイッチ４、出力装置５を備える。
【００１３】
本体１は中空状であり、上下に鍔状のフランジ１１が設置されている。フランジ１１は配管Ｐと接続されている。本体１の内部は隔壁１２により一次室Ｉと二次室ＩＩに区切られており、隔壁１２には一次室Ｉと二次室ＩＩとを連通可能な連通口１３が形成されている。本体１の外部には箱状をした筺体１４が設置され、筺体１４の内部にリミットスイッチ３、スイッチ４、出力装置５等が設置される。
【００１４】
筺体１４は蓋１５とベース１６から構成されており、蓋１５は板をＬ字状に折り曲げた形状をしており、正面１５Ａと側面１５Ｂを備える。ベース１６は、蓋１５Ｂと対向しており本体１に隣接した側面と、平面、底面、背面を備えている。蓋１５の縁とベース１６とは互いの縁部が接する接触面１７を備えており、蓋１５を閉じた状態で筺体１４の内部に水や埃が入りにくい構造となっている。
【００１５】
蓋１５はビス１８によりベース１６に着脱可能に取付けられる。より具体的には、ベース１６にビス１８と螺合可能な牝ネジ部１８Ａが備えられており、蓋１５を閉じた状態でビス１８を牝ネジ部１８Ａに螺合させることで蓋１５とベース１６が固定される。また、ベース１６の内部は仕切り板１６Ａ、１６Ｂによって区切られている。
【００１６】
本体１の一次室Ｉに接続された配管1Ａと、二次室ＩＩに接続された配管１Ｂには図示しない圧力計がそれぞれ設置されている。
【００１７】
弁体２は二次室ＩＩ側に設置され、連通口１３を塞いでいる。弁体２は逆止弁構造をしており、弁体２が開放すると一次室Ｉの内部の流体が連通口１３を通過して二次室ＩＩへ流れる。弁体２が開放すると図１において二点鎖線で示すように弁軸２１を支点として回動する。弁体２は弁軸２１と固定されており、弁軸２１の一方の端２３は本体１の外部に突き出ている。端２３は筺体１４の内部に配置されており、端２３には弁体２の回動とともに動作するカム２４が固定設置されている。
【００１８】
カム２４は平板形状をしており、弁軸２１の端２３が挿通された穴を有する面２４Ａと、面２４ＡからＬ字状に屈曲させた面２４Ｂを有する。面２４Ｂの下面にはレバー２６が係止されている。レバー２６は細長い棒状をしており、中間で回動自在に軸支されている。レバー２６の一方の端２６Ａはカム２４の面２４Ｂと接触しており、さらに他方の端２６Ｂには錘Ｗが設置されている。錘Ｗは、端２６Ａをカム２４の面２４Ｂに向かって付勢する。錘Ｗの重量は配管Ｐの内部の流水による弁体２の開放動作を妨げない程度の重量である。
【００１９】
端２６Ｂの近傍にはリミットスイッチ３が設置されている。弁体２が開放動作するとカム２４も回動して、カム２４に載置されているレバー２６も錘Ｗの作用により図中において時計回りに回動動作する（図３（ｂ）参照）。レバー２６の回動により端２６Ｂがリミットスイッチ３に作用して信号が出力される。
【００２０】
リミットスイッチ３の近傍にはスイッチ４、出力装置５が設置されている。スイッチ４はリミットスイッチ３から伸びる導線と、図示しない受信機からの導線が接続される端子台６１との間に設置される。スイッチ４は、リミットスイッチ３と端子台６１の間の電路を開閉可能であり、通常時は電路が閉じられた「定位」の状態にあり、リミットスイッチ３の信号は端子台６１を介して受信機に送ることができる。スイッチ４の操作により電路が開いた「信号停止」状態になるとリミットスイッチ３が作動して、もその信号は受信機に送られない。
【００２１】
出力装置５はスイッチ４の操作と連動して動作するもので、スイッチ４が「信号停止」の状態にあるとき、音や点灯・点滅等の表示で作業者に注意を促す。出力装置５には音や光を発生するための電池５１を備えるか、または外部電源と接続させて電気を供給してもよい。
【００２２】
図３は出力装置５として音響発生装置を設置したものである。筺体１４の内部に設置された音響発生装置の音が外部に伝わりやすいように筺体１４に穴を穿設してもよい。図４では出力装置５としてランプを設置したものである。ランプは蓋１５の穴から外部に露出されており、蓋１５が閉じた状態でもランプの点灯・点滅を認識することができる。
【００２３】
図３において、ベース１６の内部に配置されたスイッチ４、出力装置５、端子台６１は、仕切り板１６Ａ、１６Ｂにより離間して設置されている。仕切り板１６Ａにより、レバー２６が予期しない動作をした場合でも、仕切り板１６Ａによりレバー２６の動作範囲を制限することで出力装置５とレバー２６との干渉を防いでいる。
【００２４】
仕切り板１６Ｂには、端子台６１が設置されており、作業者がスイッチ４の操作面と同じ方向から端子台６１への結線作業ができるようにしている。また、仕切り板１６に穴を穿設してリミットスイッチ３とスイッチ４の間の導線を端子台６１が設置された側の空間に導線を通すことで、レバー２６の動作時にレバー２６と導線が干渉することを防止できる。
【００２５】
第１実施形態の流水検知装置Ａ１において、配管内に水を充水させる作業の手順を説明する。まず、スイッチ４を「定位」から「信号停止」に切り替える。図示しないポンプを起動して配管内へ送水を行う。すると一次室Ｉへ送られた水は弁体２を開放させて二次室ＩＩおよびスプリンクラーヘッドが接続されている配管Ｐへ送られる。弁体２が開放するとともにカム２４も回動動作する。カム２４の回動によりレバー２６がリミットスイッチ３を作動させるが、スイッチ４が「信号停止」になっているので信号は端子台６１には送られない。スイッチ４が「信号停止」になっている間、出力装置５からはブザー音あるいは点灯・点滅等による表示が出力されており作業者に注意を促している。
【００２６】
配管内の圧力を図示しない圧力計で確認して配管内の水が規定の圧力以上であることを確認後、ポンプを停止する。その後スイッチ４を「定位」に戻して作業を終了する。
【００２７】
第２実施形態（図５、図６）
続いて第２実施形態の流水検知装置Ａ２について説明する。第２実施形態において、本体１、弁体２、リミットスイッチ３、スイッチ４は第１実施形態と略同様な構造である。尚、第１実施形態と構造が同じ箇所には同符号を付して詳細な説明は省略する。以下、第２実施形態の要部である、筺体１４の内部に設置されたスイッチ４と筺体１４の蓋１５との構造について詳細に説明する。
【００２８】
筺体１４は箱状であり、内部にリミットスイッチ３、スイッチ４を備える。筺体１４の構造は第１実施形態と略同じである。スイッチ４は蓋１５の近傍に配置され、蓋１５を閉じた状態でスイッチ４の一部が露出されるように蓋１５には開口１９が設置されている。
【００２９】
スイッチ４はシーソースイッチであり、一方を押し込むと他方が突出する構造となっており、スイッチ４が「定位」状態のとき開口１９の位置にスイッチ４の突出側が露出される。従ってスイッチ４が「信号停止」状態のときにはスイッチ４の突出側が反対になり、スイッチ４の突出部分によって蓋１５とベース１６が離間した状態になる。
【００３０】
この状態においてビス１８の牡ネジ部は、ベース１６の牝ネジ１８部Ａと螺合できないので、蓋１５をビス１８によって固定することができない。作業者はビス１８の牡ネジ部が、牝ネジ部１８と螺合できない状態を異常と認知でき、蓋１５を閉じるためにスイッチ４を「定位」に戻さなければならないので、スイッチ４の戻し忘れを促す。これによりスイッチ４の電路が開いて遮断された状態で放置されることを防止できる。
【００３１】
第３実施形態（図７）
続いて第３実施形態の流水検知装置Ａ３について説明する。第２実施形態において、本体１、弁体２、リミットスイッチ３、は第１実施形態と略同様な構造である。尚、第１実施形態と構造が同じ箇所には同符号を付して詳細な説明は省略する。以下、第３実施形態の要部であるスイッチ７について詳細に説明する。
【００３２】
第３実施形態のスイッチ７は筺体１４の内部に設置され、蓋１５の近傍に設置される。スイッチ７の操作部７Ａは蓋１５の外部から操作可能である。スイッチ７はリミットスイッチ３と、受信機からの導線が接続される端子台６１との間の導線上に設置される。スイッチ７は電路を開閉可能であり、通常時は電路が閉じられた「定位」の状態にあり、リミットスイッチ３の信号が端子台６１を介して受信機に送ることができる。スイッチ７の操作により電路が開いた「信号停止」状態になるとリミットスイッチ３が作動しても作動信号は受信機に送られない。
【００３３】
スイッチ７は、「定位」から「信号停止」に切り替えた後、所定時間経過後に「定位」に戻り電路を閉じることが可能である。より具体的には、内部にゼンマイが組み込まれたゼンマイ式タイマースイッチをスイッチ７として用いることで、ゼンマイの動きにより「信号停止」状態から所定時間経過後に「定位」に戻ることができる。または、スイッチ７を電子タイマー７１により制御して「信号停止」状態から所定時間経過後に「定位」に戻すことができる。
【００３４】
これによれば、スイッチ７が自動的に「定位」に戻るので、作業者がスイッチ７を「信号停止」から「定位」に戻すことを忘れた場合でも電路が開いて遮断された状態で放置されることを防止できる。
【００３５】
以上、説明した第１〜第３実施形態の変形例として、図８に示すように電池５１を設置したり、外部電源と接続させた場合、これらの電源を利用して電子タイマー７１を設置することができる。電子タイマー７１の用途として、リミットスイッチ３の作動から受信盤に信号を出力するまでの時間を遅延させることができる。
【００３６】
あるいは電子タイマー７１を第１実施形態の出力装置５と接続して、スイッチ４を「定位」から「信号停止」にしてから所定時間経過後に出力装置５から信号を発生させることも可能である。
【符号の説明】
【００３７】
１  本体  
２  弁体  
３  リミットスイッチ  
４、７  スイッチ  
５  出力装置  
１１  フランジ  
１２  隔壁  
１３  連通口  
１４  筺体  
１５  蓋  
１６  ベース  
１９  開口  
２１  弁軸  
２４  カム  
２６  レバー  
５１  電池  
７１  電子タイマー  
【図１】
0006552397.tif 000002
【図２】
0006552397.tif 000003
【図３】
0006552397.tif 000004
【図４】
0006552397.tif 000005
【図５】
0006552397.tif 000006
【図６】
0006552397.tif 000007
【図７】
0006552397.tif 000008
【図８】
0006552397.tif 000009